(57)【特許請求の範囲】
【請求項１】
外周面を筒状フレーム内で密閉すると共に内周面をキャンで密閉した固定子と、該固定子の中央を貫通する回転子を具備し、該筒状フレームの両端部に固着されたブラケットに前記回転子の主軸が軸受を介して回転自在に支持された構成のキャンドモータであって、
前記主軸が貫通するブラケットの該主軸貫通部の前記軸受より反モータ側に主軸を取り囲むように別室を設け、該別室の内周面に永久磁石又は電磁石を設けたことを特徴とするキャンドモータ。
【請求項２】
外周面を筒状フレーム内で密閉すると共に内周面をキャンで密閉した固定子と、該固定子の中央を貫通する回転子を具備し、該筒状フレームの両端部に固着されたブラケットに前記回転子の主軸が軸受を介して回転自在に支持された構成のキャンド発電機であって、
前記主軸が貫通するブラケットの該主軸貫通部の前記軸受より反発電機側に主軸を取り囲むように別室を設け、該別室の内周面に永久磁石又は電磁石を設けたことを特徴とするキャンド発電機。
【発明の詳細な説明】
【０００１】
【発明の属する技術分野】
本発明は永久磁石を回転子に使用するノンシールのキャンドモータ及びキャンド発電機に関するものである。
【０００２】
【従来の技術】
図１は従来のノンシール型のキャンドモータの構造を示す図で、図１（ａ）はキャンドモータを負荷側から見た図であり、図１（ｂ）は（ａ）のＡ−Ａ断面図である。図示するように、キャンドモータＭは外周面を筒状フレーム１０１で密閉すると共に、内周面をキャン１０２で密閉した固定子１０３と、該固定子１０３の中央を貫通する回転子１０４を具備し、該筒状フレーム１０１の負荷側端部には負荷側ブラケット１０５が固着され、反負荷側端部には反負荷側ブラケット１０６が固着されている。回転子１０４の主軸１０７は軸受１０８及び１０９を介して負荷側ブラケット１０５及び反負荷側ブラケット１０６に回転自在に支持されている。
【０００３】
上記キャンドモータＭは構造上、軸封装置を持たない。このためモータ回転子は永久磁石を使用する場合、使用環境により砂鉄等の磁性金属粉が負荷側の軸受１０８の隙間からモータ部に浸入し、回転子１０４に付着し、ついには回転子１０４と固定子１０３が短絡し、モータを損傷してしまうことがある。また、モータ内部に付着した磁性金属粉に渦電流が発生しセンサが誤動作することがある。このような問題は、回転子に永久磁石を使用する上記キャンドモータと略同じ構造のキャンド発電機にも発生する。
【０００４】
【発明が解決しようとする課題】
本発明は上述の点に鑑みて成されたもので、砂鉄等の磁性金属粉が存在する環境で使用しても該磁性金属粉がモータ内部又は発電機内部に浸入することのないキャンドモータ及びキャンド発電機を提供することを目的とする。
【０００５】
【課題を解決するための手段】
上記問題点を解決するため請求項１に記載の発明は、外周面を筒状フレーム内で密閉すると共に内周面をキャンで密閉した固定子と、該固定子の中央を貫通する回転子を具備し、該筒状フレームの両端部に固着されたブラケットに前記回転子の主軸が軸受を介して回転自在に支持された構成のキャンドモータであって、
前記主軸が貫通するブラケットの該主軸貫通部の前記軸受より反モータ側に主軸を取り囲むように別室を設け、該別室の内周面に永久磁石又は電磁石を設けたことを特徴とする。
【０００６】
上記のように主軸が貫通するブラケットの主軸貫通部の軸受より反モータ側に主軸を取り囲むように別室を設け、該別室の内周面に永久磁石又は電磁石を設けたことにより、キャンドモータを砂鉄等の磁性金属粉が存在する環境下に設置した場合、軸受の隙間からモータ部内に浸入しようとする磁性金属粉は、前記永久磁石又は電磁石で軸受の隙間から離れる方向に磁気吸引され捕捉され、磁性金属粉がモータ部内に浸入することはない。
【０００９】
請求項２に記載の発明は、外周面を筒状フレーム内で密閉すると共に内周面をキャンで密閉した固定子と、該固定子の中央を貫通する回転子を具備し、該筒状フレームの両端部に固着されたブラケットに回転子の主軸が軸受を介して回転自在に支持された構成のキャンド発電機であって、主軸が貫通するブラケットの該主軸貫通部の軸受より反発電機側に主軸を取り囲むように別室を設け、該別室の内周面に永久磁石又は電磁石を設けたことを特徴とする。
【００１０】
上記のように主軸が貫通するブラケットの主軸貫通部の軸受より反発電機側に主軸を取り囲むように別室を設け、該別室の内周面に永久磁石又は電磁石を設けたことにより、キャンド発電機を砂鉄等の磁性金属粉が存在する環境下に設置した場合、軸受の隙間から発電機部内に浸入しようとする磁性金属粉は、前記永久磁石又は電磁石で軸受の隙間から離れる方向に磁気吸引され捕捉され、磁性金属粉が発電機部内に浸入することはない。
【００１３】
【発明の実施の形態】
以下、本発明の実施の形態例を図面に基いて説明する。図２は本発明に係るノンシール型のキャンドモータの構造を示す図で、図２（ａ）はキャンドモータを負荷側から見た図であり、図２（ｂ）は（ａ）のＢ−Ｂ断面図である。図示するように、本キャンドモータＭは外周面を筒状フレーム１で密閉すると共に、内周面をキャン２で密閉した固定子３と、該固定子３の中央を貫通する回転子４を具備する。筒状フレーム１の負荷側端部には負荷側ブラケット５が固着され、反負荷側端部には反負荷側ブラケット６が固着されている。回転子４の主軸７は軸受８及び９を介して負荷側ブラケット５及び反負荷側ブラケット６に回転自在に支持されている。
【００１４】
回転子４の主軸７が貫通する負荷側ブラケット５の主軸７が貫通する軸貫通部１０に位置する主軸７を取り囲むように円筒状の別室１１を設け、該別室１１の内周面に永久磁石又は電磁石１２を配置している。
【００１５】
上記構成のキャンドモータを砂鉄等の磁性金属粉が存在する環境下に設置し運転した場合、軸受８の隙間からモータ部内に浸入しようとする磁性金属粉は、永久磁石又は電磁石１２に捕捉され、磁性金属粉がモータ部内へ浸入することはない。特に、上記のように永久磁石又は電磁石は負荷側ブラケット５の軸貫通部１０に設けた円筒状の別室１１の内周面に配置することにより、軸受８の隙間からモータ部内に浸入しようとする磁性金属粉をこの別室１１が万杯になるまで永久磁石又は電磁石１２により捕捉できるから、磁性金属粉のモータ部内への浸入を確実に防止できる。なお、キャンドモータを磁性金属粉がそれほど多くない環境下で使用する場合は、別室１１は必ずしも必要ではなく、単に軸貫通部１０の内周面に永久磁石又は電磁石１２を配置しただけでも良い。また、上記例では回転子４の外周面をキャンで密閉したものではないが、回転子４の外周面をキャンで密閉した構造のものであっても良い。
【００１６】
また、上記例では、キャンドモータＭを例に説明したが、図示は省略するが、同じような構造のキャンド発電機、即ち外周面を筒状フレームで密閉すると共に、内周面をキャンで密閉した固定子と、該固定子の中央を貫通する回転子を具備し、筒状フレームの原動機（回転子を回転駆動する原動機）側端部及び反原動機側端部に設けたブラケットに軸受を介して回転子の主軸を回転自在に支持した構造のキャンド発電機でも本発明は有効である。この場合は、回転子の主軸が貫通する原動機側ブラケットの主軸が貫通する軸貫通部の主軸を取り囲むように円筒状の別室を設け、該別室の内周面に永久磁石又は電磁石を配置する。
【００１７】
図３は本発明に係るキャンドモータＭをポンプ駆動用に用いたポンプ装置の構成を示す図である。Ｍは図２に示すキャンドモータと同構造のキャンドモータであり、キャンドモータの主軸７にポンプＰの羽根車２１が固着されている。モータＭを運転することにより、回転子４が回転し、羽根車２１が回転する。該羽根車２１の回転により、ポンプケーシング２２の吸込口２３から吸い込まれた水等の取扱液は吐出口２４から吐出される。なお、ポンプＰ及びキャンドモータＭは基台３０に搭載されている。
【００１８】
上記構成のポンプ装置において、取扱液に砂鉄等の磁性金属粉が混入している場合、キャンドモータＭは軸封装置を持たないから、取扱液は負荷側ブラケット５に設けられた軸受８の隙間を通ってモータ部内に浸入し、それに同伴して砂鉄等の磁性金属粉も軸受８の隙間からモータ部内に浸入しようとするが、別室１１の内周面に配置した永久磁石又は電磁石１２でこの磁性金属粉は吸着されるから、磁性金属粉はモータ部内に入り込むことがない。
【００１９】
従って、従来のように、磁性金属粉がモータ部に浸入し、回転子４に付着し、ついには回転子４と固定子３が短絡し、モータを損傷してしまうことがなくなる。また、モータ内部に付着した磁性金属粉に渦電流が発生しセンサが誤動作することもない。
【００２０】
【発明の効果】
以上説明したように各請求項に記載の発明によれば下記のような優れた効果が得られる。
【００２１】
請求項１に記載の発明によれば、主軸が貫通するブラケットの主軸貫通部の軸受より反モータ側に主軸を取り囲むように別室を設け、該別室の内周面に永久磁石又は電磁石を設けたことにより、キャンドモータを砂鉄等の磁性金属粉が存在する環境下に設置した場合、軸受の隙間からモータ部内に浸入しようとする磁性金属粉は、永久磁石又は電磁石で軸受の隙間から離れる方向に磁気吸引され捕捉され、磁性金属粉がモータ部内に浸入することはない。従って、磁性金属粉がモータ部に浸入し、回転子に付着し、ついには回転子と固定子が短絡し、モータを損傷してしまうことがなくなる。また、モータ内部に付着した磁性金属粉に渦電流が発生しセンサが誤動作することもない。
【００２３】
請求項２に記載の発明によれば、主軸が貫通するブラケットの主軸貫通部の軸受より反発電機側に主軸を取り囲むように別室を設け、該別室の内周面に永久磁石又は電磁石を設けたことにより、キャンド発電機を砂鉄等の磁性金属粉が存在する環境下に設置した場合、軸受の隙間から発電機部内に浸入しようとする磁性金属粉は、前記永久磁石又は電磁石で軸受の隙間から離れる方向に磁気吸引され捕捉され、磁性金属粉が発電機部内に浸入することはない。従って、磁性金属粉が発電機部に浸入し回転子に付着し、ついには回転子とと固定子が短絡し、発電機を損傷してしまうことがなくなる。また、発電機内部に付着した磁性金属粉に渦電流が発生しセンサが誤動作することもない。
【図面の簡単な説明】
【図１】従来のキャンドモータの構造を示す図で、図１（ａ）はキャンドモータを負荷側から見た図、図１（ｂ）は（ａ）のＡ−Ａ断面図である。
【図２】本発明に係るキャンドモータの構造を示す図で、図２（ａ）はキャンドモータを負荷側から見た図、図２（ｂ）は（ａ）のＢ−Ｂ断面図である。
【図３】本発明に係るキャンドモータをポンプ駆動用に用いたポンプ装置の構成を示す図である。
【符号の説明】
１            筒状フレーム
２            キャン
３            固定子
４            回転子
５            負荷側ブラケット
６            反負荷側ブラケット
７            主軸
８            軸受
９            軸受
１０          軸貫通部
１１          別室
１２          永久磁石又は電磁石
【図１】
0003706042.tif 000002
【図２】
0003706042.tif 000003
【図３】
0003706042.tif 000004